(57)【要約】【課題】化粧料を容易に均一に付着させ、付着させた化粧料の肌への均一な塗布を容易に行うことができる、化粧用具及び化粧料の塗布具を提供すること。【解決手段】本発明の化粧用具１は、化粧料を塗布する塗布具２と化粧料容器３とを有する。前記塗布具２は、植毛を有する回転塗布部２１と、該回転塗布部２１を、回転軸方向２１の一端側から回転可能に支持する把持部２５とを備え、前記化粧料容器３は、前記化粧料４として塗布組成物を収容する化粧料収納部３３及び塗布具２を収容する塗布具収納部３２を備えている。本発明の塗布具２は、化粧料収納部３３が、細長い形状を有し、長軸方向の長さが、植毛２２を含む回転塗布部２１の周長の１．１〜１．８倍である。【選択図】図１
2014128447.tif 000002
【特許請求の範囲】
【請求項１】
化粧料を塗布する塗布具と化粧料容器とを有する化粧用具であって、
前記塗布具は、植毛を有する回転塗布部と、該回転塗布部を、回転軸方向の一端側から回転可能に支持する把持部とを備え、
前記化粧料容器は、前記化粧料として塗布組成物を収容する化粧料収納部及び前記塗布具を収容する塗布具収納部を備えている、化粧用具。
【請求項２】
前記化粧料収納部は、細長い形状を有し、長軸方向の長さが、植毛を含む回転塗布部の周長の１．１〜１．８倍である、請求項１記載の化粧用具。
【請求項３】
前記回転塗布部は、ショアＡ硬度７０度以上の熱可塑性プラスチックからなる芯部と、該芯部の表面に結合した植毛とを有する、請求項１又は２記載の化粧用具。
【請求項４】
前記回転塗布部は、植毛を含む外径が７ｍｍ以上９ｍｍ以下である請求項１〜３の何れか１項記載の化粧用具。
【請求項５】
前記回転塗布部は、芯部と、該芯部の表面に結合した植毛とを有し、該芯部は、熱可塑性ポリエステル/エステルエラストマー、熱可塑性ポリエーテル/エステルエラストマー、アクリロニトリル、ブタジエン及びスチレンの共重合体（ＡＢＳ）、ポリオキシメチレン（ＰＯＭ）又はポリブチルテレフタレート（ＰＢＴ）を構成樹脂とする、請求項１〜４の何れか１項記載の化粧用具。
【請求項６】
前記化粧料収納部は、細長い形状を有し、短軸方向の長さが、前記回転塗布部の回転軸方向の長さよりも短い、請求項１〜５の何れか１項記載の化粧用具。
【請求項７】
前記化粧料収納部は、細長い形状を有し、前記塗布具収納部に収容される塗布具が、該化粧料収納部の長手方向に対して、略平行又は略垂直に配置されている請求項１〜６の何れか１項記載の化粧用具。
【請求項８】
前記化粧料が、板状粉体を含む固体組成物である、請求項１〜７の何れか１項記載の化粧用具記載の化粧用具。
【請求項９】
前記化粧料が、板状粉体を含むアイシャドウである、請求項１〜７の何れか１項記載の化粧用具記載の化粧用具。
【請求項１０】
前記回転塗布部は、その回転軸方向の長さを３等分して、先端側から順に第１部、第２部、第３部に区分したときに、第１部に外径が最大となる部位を有する、請求項１〜９の何れか１項記載の化粧用具記載の化粧用具。
【請求項１１】
化粧料を塗布する塗布具であって、
前記塗布具は、植毛を有する回転塗布部と、該回転塗布部を、回転軸方向の一端側から回転可能に支持する把持部とを備え、
前記回転塗布部は、前記植毛の長さ０．４〜１．４ｍｍである、塗布具。
【発明の詳細な説明】
【技術分野】
【０００１】
本発明は、化粧用具及び化粧料の塗布具に関する。
【背景技術】
【０００２】
従来、顔などへの化粧料の塗布は、指、スポンジ又は塗布具を用いた方法が一般的であったが、薄く均一に塗布するには、スポンジ、塗布具などの道具を用いて塗布することが望まれる。
特許文献１には、ファンデーション等の美容組成物を皮膚等に塗布する塗布具として、塗布ローラが開示されている。
また、特許文献２には、化粧液やクリーム等を、手指を汚さずに塗布できる塗布具として、合成樹脂製の円筒状のスポンジ材を棒状体の先端部に一体に取り付けた化粧具が開示されている。
また、特許文献３には、顔の目周りのまぶたや眉毛辺りの化粧時に使用する化粧道具として、軸と軸の端部に取り付けられたスポンジ性チップからなる顔用軸付チップが開示されている。
【先行技術文献】
【特許文献】
【０００３】
【特許文献１】特開２０１１−４４４号公報
【特許文献２】実公昭３７−１８０６号公報
【特許文献３】特開２０１０−４６２９９号公報
【発明の概要】
【発明が解決しようとする課題】
【０００４】
前述の通り、顔などへの化粧料の塗布する方法は、指、スポンジ又は塗布具を用いた方法が一般的であった。しかし、曲率を有し、塗布幅が狭い、アイホールの様な部位に局所的に化粧料を均一に塗布することは困難であった。
特許文献１の塗布ローラは、曲率を有し、塗布幅が狭い部位に沿って転がすことが難しく、また、塗布ローラに塗布組成物を付着させる際にも、ローラに化粧料をなじませるために、塗布組成物上を少なくとも２〜３回、回転させながら往復させる必要があり、塗布ローラに油分の少ない塗布組成物を均等に付着させることが困難であった。
また、特許文献２の塗布具は、円筒状のスポンジ材の回転機構を有しないため、アイシャドウのような塗布組成物をスポンジ材の表面にムラなく付着させることも、その組成物を肌にムラなく塗布することも困難である。
また、特許文献３の顔用軸付チップも、その形状が楕円球状の回転体形状であることが記載されているが、顔用軸付チップを回転可能に設けることについては記載されていない。
【０００５】
したがって本発明の課題は、前述した従来技術が有する欠点を解消し得る化粧用具及び塗布具を提供することにある。
【課題を解決するための手段】
【０００６】
本発明は、化粧料を塗布するアイメイク用の塗布具と化粧料容器とを有する化粧用具であって、前記塗布具は、植毛を有する回転塗布部と、該回転塗布部を、回転軸方向の一端側から回転可能に支持する把持部とを備え、前記化粧料容器は、前記化粧料として塗布組成物を収容する化粧料収納部及び前記塗布具を収容する塗布具収納部を備えている、化粧用具を提供するものである。
【０００７】
また、本発明は化粧料を塗布するアイメイク用の塗布具であって、前記塗布具は、植毛を有する回転塗布部と、該回転塗布部を、回転軸方向の一端側から回転可能に支持する把持部とを備え、前記回転塗布部は、前記植毛の長さ０．４〜１．４ｍｍである、塗布具を提供するものである。
【発明の効果】
【０００８】
本発明の化粧用具によれば、植毛を有する回転塗布部を有する塗布具を、化粧料収納部を備えた化粧料容器内に収容しておくことで、塗布具に、対応する化粧料収納部内の化粧料を容易に均一に付着させ、当該化粧料の肌への均一な塗布を容易に行うことができる。
本発明の塗布具によれば、曲率を有し、塗布幅が狭い、アイホールの様な部位にも化粧料を均一に塗布することができる。
【図面の簡単な説明】
【０００９】
【図１】図１は、本発明の一実施形態に係る化粧用具及び塗布具を示す斜視図である。
【図２】図２は、図１における塗布具の回転塗布部付近を示す図であり、図２（ａ）は側面図、図２（ｂ）は、部分断面図である。
【図３】図３は、図１に示す化粧用具の化粧料収納部を示す平面図である。
【図４】図４は、図１に示す塗布具を用いてアイホールにアイシャドウを塗布する様子を示す図である。
【図５】図５（ａ）〜図５（ｃ）は、本発明の他の実施形態における塗布具の回転塗布部付近を示す図である。
【発明を実施するための形態】
【００１０】
以下本発明を、その好ましい実施形態に基づき図面を参照しながら説明する。
図１には、本発明の一実施形態に係る化粧用具１が示されており、また、図１には、当該化粧用具１の構成要素としての塗布具２及び化粧料容器３が示されている。塗布具２は、本発明の塗布具の一実施形態である。
【００１１】
本発明における塗布具２は、図１及び図２に示すように、植毛２２を有する回転塗布部２１と、該回転塗布部２１を、その回転軸Ａ方向の一端側から回転可能に支持する把持部２５とを備えている。換言すれば、回転塗布部２１と把持部２５とは、同一の軸上にあり、回転塗布部２１が把持部２５に片持ち状に支持されている。回転塗布部２１が把持部２５に片持ち状に支持されていると、回転塗布部２１を、把持部２５の軸方向の一端に設けることができ、局所的な塗布が可能となる。また、化粧料収納部３３に曲率を有する場合でも、回転塗布部２１への化粧料の均一な転写が行え、所望とする箇所への化粧料の均一な塗布が可能となる。また、曲率を有し、塗布幅が狭い、アイホールの様な局所的な部位に均一に塗布することも可能となる。アイホール５は、図４に示すように、瞼の上部に生じる目の骨に沿った窪みである。なお、図４中、符号５１は眉毛、符号５２は上睫毛である。
回転塗布部２１をこのような片持ち状に支持できることにより、図４に示すように、自動車のワイパーのように把持部２５を略鉛直に保持したまま左右に動かすことよって化粧料４を塗布することが可能となり、手や腕にかかる負担を軽減することができる。また、把持部２５の特定の部位に目印をつけ、鏡を見ながらその目印とたとえば黒目の中心を合わせることによって、容易にアイホールの場所を特定することが可能となる。
【００１２】
塗布具２の形態は、鉛筆の様な、指間で握りやすい形状が好ましい。形状としては、回転塗布部２１及び把持部２５を含めた全長が、好ましくは３０ｍｍ以上、更に好ましくは４０ｍｍ以上であり、また好ましくは６５ｍｍ以下、更に好ましくは６０ｍｍ以下であり、また好ましくは３０〜６５ｍｍ、更に好ましくは４０〜６０ｍｍである。また、把持部２５、より具体的には後述する把持部本体２６の外径は、４ｍｍ以上であることが好ましく、また２０ｍｍ以下であることが好ましく、また４〜２０ｍｍであることが好ましい。
把持部２５の断面形状は多角形又は略円形の断面形状が考えられる。
【００１３】
回転塗布部２１は、図２に示すように、表面に植毛２２を有している。より具体的には、芯部２３と、芯部２３の表面に結合した植毛２２とを有している。
回転塗布部２１が、回転可能であると共に表面に植毛２２を有することによって、化粧料収納部３３に収容された化粧料４が、回転塗布部２１に均一に付着し易くなり、また、回転塗布部２１が肌上での空回りし難くなるとともに、化粧料４の肌への転写性も向上する。
また、それにより、粒径の大きな粉体を多く含んだ粉体密度が低い塗布組成物についても、均一な塗布が可能である。粒径の大きな粉体とは、例えばマイカ、タルク、パール顔料などがある。特に、従来の塗布具においては、湿式充填法によって充填された、粒径の大きな粉体を多く含んだ粉体密度が低い塗布組成物を塗布することは難しかったが、そのような塗布組成物の塗布も可能である。
【００１４】
回転塗布部２１の芯部２３の形態としては、円柱状、円錐状、球状、そろばん玉形状またはそれらの組み合わせであることが好ましい。回転塗布部２１を把持部２５と同軸上に固定した場合、軸の一端を隠すことで、局所的な塗布が可能となる為、円錐状、球状が更に好ましい。なお、図１及び２に示す回転塗布部２１の植毛２２で覆われた部分の形状は、回転塗布部２１の芯部２３の外表面の形状と略相似形である。また、回転塗布部２１は、回転体形状を有し、回転軸Ａに直交する断面の外形が円形である。
【００１５】
回転塗布部２１は、図２（ａ）に示すように、回転軸Ａ方向の長さＬ２を３等分して、先端側から順に第１部２１ａ、第２部２１ｂ、第３部２１ｃに区分したときに、第１部２１ａに外径が最大となる部位を有することが好ましい。図２（ａ）に示す回転塗布部２１は、第２部２１ｂから第１部２１ａに亘って外径が漸増する逆円錐台部を有し、かつ第２部２１ｂから第３部２１ｃに亘って外径が漸増する円錐台部を有する。
回転塗布部２１が、図５（ａ）のような、円錐形状と円柱形状の組み合わせの場合、ストレート部（円柱形状部）に付着した塗布組成物が肌上に転写されることとなるが、ストレート部の長さを適宜調整することによって塗布時の線幅を調整することができるため、塗布組成物の色合いや、粉体の性質に合わせて容易に調整することができる。また塗布に使用する部位が回転軸の中心から最も離れた場所に位置するため、より小さい力で塗布体を回転させることが可能となり、掻き取り時と塗布時との両者において塗布部の回転性が向上する。さらに、略矩形断面の化粧料収納部３３に充填された化粧料を最後まで掻き取れるようにするためには、回転塗布部２１の天面は平坦もしくは内側に窪んでいることが好ましく、回転塗布部２１が内側に窪んでいる場合は繰り返し使用中に粉が窪みに蓄積されてくるため、回転塗布部２１は平坦であることがより好ましい。
また、回転塗布部２１が、先端寄りに外径が最大の部位を有する図２や図５（ａ）に示すような形状である場合、あるいは図５（ｃ）のような砲弾形状の場合、図２のように把持部２５を略鉛直に保ったまま左右に動かす使用方法のほかに、把持部２５を略水平に保って、発泡ウレタンなどで構成された従来の塗布道具と同様に回転塗布部を回転させずにまぶたに線を描くことが可能となるため、使用方法の幅を広げることができさらに使いやすさを向上させることができる。
【００１６】
回転塗布部２１の、植毛を含む外径Ｌ１は、好ましくは７ｍｍ以上、より好ましくは７．４ｍｍ以上であり、また、好ましくは９ｍｍ以下、より好ましくは８．５ｍｍ以下であり、また、好ましくは７．０〜９ｍｍであり、より好ましくは７．４〜８．５ｍｍである。回転塗布部２１の、植毛を含む外径Ｌ１や後述する周長は、図２に示すように、外径が最大となる部分の外径及び周長を測定する。
回転塗布部２１の外径Ｌ１を、７ｍｍ以上とすることで、塗布体に粉を含んだ状態でもスムーズに回転することが可能であり、また、回転塗布部２１の外径Ｌ１を、特に９ｍｍ以下とすることで、化粧料収納部３３に収容された化粧料４上で回転塗布部２１を適度に回転させることによって、化粧料４を回転塗布部２１に容易に均等に付着させることができると同時に、塗布具２の塗布具収納部３２への収納性も向上する。
【００１７】
回転塗布部２１の芯部２３の材質は、特に制限されないが、ショアＡ硬度７０度以上の熱可塑性プラスチックからなることが好ましく、更にショアＡ硬度９０度以上の熱可塑性プラスチックからなることが好ましい。
また、回転塗布部２１の芯部２３は、熱可塑性ポリエステル/エステルエラストマー、熱可塑性ポリエーテル/エステルエラストマー、アクリロニトリル、ブタジエン及びスチレンのコポリマー（ＡＢＳ）、ポリオキシメチレン（ＰＯＭ）又はポリブチルテレフタレート（ＰＢＴ）を構成樹脂とすることが好ましい。ポリオキシメチレンは、オキシメチレン（−ＣＨ2Ｏ−)を単位構造にもつポリマーであり、ホルムアルデヒドのみが重合した ホモポリマーでも良いし、オキシエチレン単位を含むコポリマーでも良い。
回転塗布部２１の芯部２３が、前述の材質からなると、化粧料を肌の狭い範囲に押し付けながら塗布する場合にも、回転塗布部２１がいびつに変形しにくくなり、安定して回転する回転塗布部２１によって、化粧料の塗布の均一性が向上する。また、回転塗布部が柔らかすぎる場合には、塗布組成物化粧料収納部から掻き取りにくくなるところ、芯部２３の硬さをショアＡ硬度７０度以上とすることで、回転塗布部２１が塗布組成物４を化粧料収納部３３から効率よく掻き取ることができる。
【００１８】
〔ショアＡ硬度の測定方法〕
芯部２３のショアＡ硬度は、ＪＩＳ  Ｋ６２５３に記載の方法により測定する。
【００１９】
回転塗布部２１の表面に植毛２２を設ける方法としては、特に制限されず、例えば、静電植毛、散布植毛、吹き付け植毛等の各種植毛加工方法を使用することができるが、そのなかでも、本発明においては、より高密度にかつ芯部から略垂直に植毛２２を植毛できる静電植毛に用いることが好ましい。
また、植毛２２の長さは、好ましくは０．４ｍｍ以上、より好ましくは０．８ｍｍ以上であり、また、好ましくは１．４ｍｍ以下、より好ましくは１．２ｍｍ以下であり、また、好ましくは０．４〜１．４ｍｍであり、より好ましくは０．８〜１．２ｍｍである。また、植毛２２は、芯部２３から略垂直に起立していることが好ましい。
また、植毛の芯部の表面の面積１ｍｍ2当たりの本数は、例えば１０〜５０００本であり、５０〜７００本程度であることが好ましい。
【００２０】
植毛２２の長さを０．４ｍｍ以上、より好ましくは０．８ｍｍ以上とすることにより、回転塗布部２１が塗布組成物の保持性に優れたものとなり、板状粉体を含む塗布組成物をその組成物の配合比を変えることなく良好に保持することも可能となる。他方、植毛２２の長さを１．４ｍｍ以下、好ましくは１．２ｍｍ以下とすることにより、植毛が倒れやすくなることに起因する塗布組成物の保持性の低下を防止でき、また、植毛が倒れやすくなることを防止するために植毛を太くする必要もないので、肌への刺激の問題も生じない。
【００２１】
塗布組成物の保持性や肌への低刺激性の観点から、植毛２２は、直径が１．０〜３．７デシテックス、より好ましくは直径が１．５〜３．０デシテックス程度であることが好ましく、植毛２２の形成材料は、合成樹脂であることが好ましい。植毛２２の構成樹脂としては、例えば、ナイロン等のポリアミド、ＰＥＴ、ＰＢＴ等のポリエステル樹脂、レーヨン、絹、綿等のセルロース繊維、アクリル繊維、ウレタン繊維、またはそれらが混合された繊維などが挙げられる。これらのなかでも、ナイロン等のポリアミドが好ましい。
【００２２】
把持部２５は、使用者が手に持つ把持部本体２６を主体として構成されているが、把持部２５は、把持部本体２６に加えて、回転塗布部２１を脱着可能又は脱着不可能に結合させるための連結部を備えていることが好ましい。本発明に係る塗布具は、回転塗布部２１を回転可能に支持する回転機構を有することから、回転塗布部を結合させる機構には、ベアリング、嵌め合いなどによる回転機構を持たせることが好ましい。本実施形態の塗布具２においては、図２に示すように、把持部２５は、使用者が手に持つ把持部本体２６の一端に、連結部として、把持部本体２６より小径の突出係合部２７を有しており、該突出係合部２７を、回転塗布部２１の芯部２３に形成された連結穴２３ａに挿入することによって、回転塗布部２１を把持部２５の一端に回転可能に取り付けてある。突出係合部２７は、直径方向に張り出した張り出し部２７ａを有し、張り出し部２７ａが連結穴２３ａ内の直径拡大部分に引っ掛かることで、軽く引っ張る程度では、回転塗布部２１が把持部２５から取れないようになっている。
【００２３】
塗布具２は、図３に示すように、使用者が片手で持って操作可能な形態であることが好ましいが、それに限定されるものではない。
【００２４】
本実施形態に係る化粧料容器３は、図１に示すように、化粧料４として塗布組成物を収容する化粧料収納部３３及び上述した塗布具２を収容する塗布具収納部３２を備えている。
化粧料容器３には、上述した構成の塗布具２によって塗布する化粧料４を収容した化粧料収納部３３に加えて、他の図示しない塗布具によって塗布する化粧料を収容した第２化粧料収納部３４〜３６が形成されている。また、化粧料容器３の塗布具収納部３２には、上述した構成の塗布具２に加えて、第２化粧料収納部３４〜３６に収容された化粧料を、アイホール５以外の部位に塗布するための２本又は３本の塗布具（図示せず）を互いに平行に並べて収容可能な大きさに形成されている。第２化粧料収納部３４〜３６に収容された化粧料を塗布する塗布具は、例えば、棒状の把持部の一端又は両端に、刷毛や回転しない植毛付きの塗布部を有している。
また、化粧料容器３は、化粧料収納部３３及び第２化粧料収納部３４〜３６並びに塗布具収納部３２が形成された本体３１と、本体３１にヒンジ部を介して回動自在に取り付けられた蓋体３７とを有し、蓋体３７の回動によって、各収容部３２〜３６の開口部を開閉可能である。なお、蓋体３７における、閉蓋時に各収容部３２〜３６を覆う面には、鏡３７ａが設けられている。
【００２５】
上述した塗布具２で塗布する化粧料４が収容された化粧料収納部３３は、図１及び図３に示すように、細長い形状を有しており、塗布具２の回転塗布部２１を、内部に収容された固形粉末化粧料である化粧料４に接触させつつ、長軸方向の何れか一端３３ａ側から他端３３ｂ側に移動させることによって、回転塗布部２１の表面に化粧料４を均一に転写させることができる。また、化粧料収納部３３を、細長い形状とすることにより、化粧料４の減りが均一となる。また、減りが均一となることによって、転写が一層均一になる。
化粧料収納部３３の細長い形状の好ましい形状は、長軸ｍ方向の長さａと短軸ｎ方向の長さｂの比率（ａ／ｂ）が、３以上であり、より好ましくは５以上である。また、前記比率（ａ／ｂ）は１０以下であることが好ましい。
ここで、細長い形状の長軸ｍとは、化粧料収納部３３の長手方向に沿う一対の長辺間の中点を結ぶ線であり、短軸ｎとは、化粧料収納部３３の長軸ｍ方向の長さを二等分する点ｃを通り、かつ該長軸ｍと直交する線である。
【００２６】
また、化粧料収納部３３の寸法は、短軸ｎ方向の長さｂが、好ましくは３〜１０ｍｍ、より好ましくは４〜７ｍｍであり、長軸ｍ方向の長さａが、好ましくは１５〜５０ｍｍ、より好ましくは２５〜４０ｍｍである。
長軸ｍ方向の長さａは、図３に示すように、長軸ｍに沿って測定した、長手方向の両端部３３ａ，３３ｂ間の距離である。短軸ｎ方向の長さｂは、短軸ｎが化粧料収納部３３の長手方向に沿う一対の長辺に交わる２つの点同士間の距離である。
【００２７】
化粧料収納部３３の細長い形状の長軸方向の長さａは、塗布具２の、植毛を含む回転塗布部２１の周長Ｌに対する比率（ａ／Ｌ）が、好ましくは１．１以上、より好ましくは１．４以上であり、また、好ましくは１．８以下、より好ましくは１．７以下であり、また、好ましくは１．１〜１．８であり、より好ましくは１．４〜１．７である。比率（ａ／Ｌ）を、１．１以上とすることで、回転塗布部２１に、化粧料４が塗布されていない部分が生じることを防止でき、また、比率（ａ／Ｌ）を、１．８以下とすることで、回転塗布部２１の表面に転写された化粧料４に厚い部分が発生し、肌への均一塗布の妨げとなることを防止できる。
特に、アイホールに塗布する場合のように局所的な塗布を行う場合には、細いラインを描きやすいように、肌と回転塗布部２１との接触面積が小さくなる形状が好ましい。その場合、塗布組成物を回転塗布部２１に転写する際の回転塗布部２１と化粧料収納部３３の塗布組成物との接触面も小さくなり、該接触面の押し圧が高くなる。したがって、回転塗布部２１の回転数が多すぎる（ａ／Ｌが大きすぎる）と、塗布組成物の嵩の圧密が生じて、塗布組成物が取れにくくなりやすい。よってこの比率（ａ／Ｌ）を前述した範囲とすることにより、塗布組成物の最適な硬度を維持することができる。
【００２８】
化粧料収納部３３の細長い形状の短軸方向の長さｂは、回転塗布部２１の回転軸方向の長さＬ２に対する割合が、好ましくは１００％以下であり、また、好ましくは７０％以上、より好ましくは９０％以上であり、また、好ましくは７０〜１００％であり、より好ましくは９０〜１００％である。
化粧料収納部の短軸の長さａは、好ましくは５〜２０ｍｍであり、回転塗布部の前記長さＬ２は、好ましくは５〜３０ｍｍであり、両者の差（長さＬ２−長さａ）は、０．５〜３ｍｍが好ましい。
【００２９】
本発明における化粧料である塗布組成物は、例えば、マイカ・タルクなどの体質顔料、酸化鉄・酸化チタンなどの無機顔料、赤２２６などの有機顔料、エステル系・炭化水素系の油脂、固体油脂、活性剤、金属石鹸、ポリマーなどからなる組成物であり、その形態は、固体状の圧密成型された粉体状の固体組成物であり、アイシャドウ、頬紅、ファンデーションなどが相当する。本発明では、局所的な塗布が特徴であり、粒径の大きい粉体を含む粉体組成物を選定することができる。
【００３０】
また本発明における化粧料は、油分の含有率が５〜３０％であり、板状粉体を含む固体組成物であることが好ましい。板状粉体を含む固体組成物は、板状粉体及びバインダーを含む組成物を、所定形状の収容部内で加圧圧縮（乾式加圧）して固体組成物に成形した乾式成形で得られたものであっても良いし、イソプロパノールや水添ポリイソブテン、エタノール等の溶媒中に板状粉体、球状粉体等を分散させた後、所定形状の収容部内で溶媒を留去して固体組成物に成形した湿式充填法で得られたものであっても良い。即ち、本発明によれば、湿式法で得られた固体組成物のように、粒径の大きい粉体を多く含んだ粉体密度が低い固体組成物を選定した場合においても、塗布具に付着させる際に、固体組成物の表面から粉体が一度に多量に剥がれることを防止しつつ、回転塗布部に均一に付着させることができ、肌に対しても均一に塗布することができる。化粧料の固体組成物を構成する粉体は、特に限定されるものではないが、乾式加圧による加工が難しいものも適用することができ、例えばマイカ、タルク、パール顔料といった板状粉体をあげることができる。
粒径の大きい粉体は、例えば、粒径が２０μｍ以上の粉体である。
【００３１】
また、粉体密度が低い固体組成物は、例えば、下記方法により測定した針入硬度が、好ましくは１７００ｇ以下、より好ましくは１０００ｇ以下であり、また、好ましくは１５０ｇ以上、より好ましくは３００ｇ以上であり、また、好ましくは１５０〜１７００ｇであり、より好ましくは３００〜１０００ｇである。
【００３２】
〔針入硬度の測定方法〕
レオメータにて、２φｍｍのステンレス円柱を針入スピード６０ｍｍ／ｍｉｎで粉体組成物に押し込み、粉体組成物表面から１ｍｍ進入時の硬度を針入硬度とする。
【００３３】
化粧料として用いる塗布組成物としては、例えば、従来公知の各種組成を有するアイシャドウを用いることができる。アイシャドウの組成は、特に制限されないが、例えば、タルク、ジェチルヘキサン酸ネオペンチルグリコール、りんご酸ジイソステアリル、ジメチコン、（ＨＤＩ／ＰＰＧ／ポリカプロラクトン）クロスポリマー、ワセリン、合成金雲母、ポリメタクリル酸メチル、ミリスチン酸亜鉛、カルナウバロウ、セスキイソステアリン酸ソルビタン、シリカ、トコフェロール、メチルパラベン、マイカ、酸化鉄、酸化チタン、グンジョウ、パール顔料、硫酸Ｂａ、赤２２６などからなる粉体組成物を使用できる。
【００３４】
化粧料容器３は、塗布具と、化粧料収納部を形成するための容器とを一つのケース内に収容して、塗布具収納部と化粧料収納部を形成したものであっても良いし、一つのケース内を仕切り壁等で区切って塗布具収納部と化粧料収納部を形成したものであっても良い。また、化粧料容器３には、鏡が付いていても良いし、また、また３面鏡の様に、開閉収納とする形態も適用が可能である。
【００３５】
また、化粧料容器３においては、塗布具収納部に収容される塗布具２が、細長い形状の化粧料収納部の長手方向Ｘに対して、略平行に配置されるように設計されている。これにより、化粧料容器３が全体としてコンパクトになる。また、本実施形態の化粧料容器３のように、化粧料収納部３３と第２化粧料収納部３４〜３６を複数有する場合、それらに収容された化粧料を塗布する複数本の塗布具は、化粧料収納部３３の長手方向Ｘに対して略垂直な方向Ｙに配置することも好ましい。その場合も、化粧料容器３が全体としてコンパクトになるとともに、塗布具２に化粧料４を転写させる際に塗布具２を移動させる方向がイメージし易くなる。
【００３６】
本実施形態の塗布具によれば、アイホールの様な曲率を有する局所的な箇所へ、粒径の大きい粉体を多く含んだ粉体密度が低い塗布組成物の塗布が可能である。例えば、粉体を多く含んだ粉体密度が低い塗布組成物を、容易に掻き取ることが可能となった。これはチップ型の非回転型の塗布具や、スポンジ状の塗布具では掻き取り時のすべりが発生という問題があったが、植毛された回転塗布部とすることで、粉取れ性が向上したことに起因する。また塗布部は中芯の硬度をショアＡ硬度７０度以上あるいは特定の樹脂から形成することで、掻き取り時の転がり性も向上し、回転塗布部への均一に付着し易くなり、肌への均一な塗布も容易となる。
【００３７】
また、本実施形態の化粧用具のように、植毛を有する回転塗布部を有する塗布具と、化粧料収納部を備えた化粧料容器内に収容しておくことで、塗布具に、対応する化粧料収納部内の化粧料を容易に適量付着させることができ、当該化粧料の肌への均一な塗布を容易に行うことができる。また、化粧料収納部の細長い形状に長軸方向の長さが、塗布具の回転塗布部の外周の１．１〜１．８倍とすることにより、粒径の大きな粉体を多く含んだ粉体密度が低い塗布組成物を、効率的に掻き取ることができるとともに、使用者は必要以上な塗布組成物の塗布部への掻き取りを防止できることができる。
特に、本実施形態の化粧用具は、回転塗布部を、ショアＡ硬度７０度以上の熱可塑性プラスチックからなる芯部、及び該芯部の表面に結合した植毛から形成し、かつ化粧料収納部の細長い形状に長軸方向の長さが、塗布具の回転塗布部の外周の１．１〜１．８倍であることから、一定の硬さを有する回転塗布部に化粧料収納部内の化粧料を適度に付着させることができ、結果、化粧料の塗布性が著しく向上する。
【００３８】
以上、本発明をその好ましい実施形態に基づき説明したが、本発明は上述した実施形態に制限されず適宜変更可能である。
例えば、化粧料容器内の化粧料収納部及び第２化粧料収納部の合計数は一つのみであっても良いし、複数個であっても良い。化粧料容器の塗布具収納部に収容される、植毛を有する回転塗布部を有する塗布具の本数は、１本のみであっても良いし、複数本であっても良い。化粧料容器３は、化粧料収納部３３が形成され、第２化粧料収納部が形成されていない本体３１と、本体３１にヒンジ部を介して回動自在に取り付けられた蓋体３７とを有し、該蓋体３７の回動によって、化粧料収納部３３の開口部を開閉可能であるものであっても良い。
また、回転塗布部の形状は、図５（ａ）〜図５（ｃ）に示すような形状としても良い。図２、図５（ａ）及び図５（ｂ）に示す回転塗布部は、植毛を含む外径が最大の部位が、回転軸方向の中央位置より先端側に位置し、より具体的には、前述した第１部２１ａに存在するが、図５（ｃ）に示す回転塗布部は、植毛を含む外径が最大の部位が、回転軸方向の中央付近に存在し、より具体的には、前述した第２部２１ｂに存在している。回転塗布部の、植毛を含む外径が最大の部位は、回転軸方向の中央位置より基端側（把持本体側）、例えば前述した第３部２１ｃに位置していても良い。
【００３９】
前述した本発明の実施形態に関し、更に以下の付記（化粧用具、塗布具）を開示する。
＜１＞  化粧料を塗布する塗布具と化粧料容器とを有する化粧用具であって、
前記塗布具は、植毛を有する回転塗布部と、該回転塗布部を、回転軸方向の一端側から回転可能に支持する把持部とを備え、
前記化粧料容器は、前記化粧料として塗布組成物を収容する化粧料収納部及び前記塗布具を収容する塗布具収納部を備えている、化粧用具。
＜２＞  前記化粧料収納部は、細長い形状を有し、該化粧料収納部の細長い形状の長軸方向の長さａは、塗布具の、植毛を含む回転塗布部の周長Ｌに対する比率（ａ／Ｌ）が、好ましくは１．１以上、より好ましくは１．４以上であり、また、好ましくは１．８以下、より好ましくは１．７以下であり、また、好ましくは１．１〜１．８であり、より好ましくは１．４〜１．７である、前記＜１＞記載の化粧用具。
＜３＞  前記塗布具は、前記回転塗布部及び前記把持部を含めた全長が、好ましくは３０ｍｍ以上、更に好ましくは４０ｍｍ以上であり、また好ましくは６５ｍｍ以下、更に好ましくは６０ｍｍ以下であり、また好ましくは３０〜６５ｍｍ、更に好ましくは４０〜６０ｍｍである前記＜１＞又は＜２＞記載の化粧用具。
＜４＞  前記回転塗布部は、回転軸に直交する断面の外形が円形である、前記＜１＞〜＜３＞の何れか１に記載の化粧用具。
＜５＞  前記回転塗布部は、ショアＡ硬度７０度以上の熱可塑性プラスチックからなる芯部と、該芯部の表面に結合した前記植毛とを有する、前記＜１＞〜＜４＞の何れか１に記載の化粧用具。
＜６＞  前記回転塗布部は、植毛を含む外径が、好ましくは７ｍｍ以上、より好ましくは７．４ｍｍ以上であり、また、好ましくは９ｍｍ以下、より好ましくは８．５ｍｍ以下であり、また、好ましくは７ｍｍ〜９ｍｍであり、より好ましくは７．４〜８．５ｍｍである前記＜１＞〜＜５＞の何れか１に記載の化粧用具。
【００４０】
＜７＞  前記回転塗布部は、芯部と、該芯部の表面に結合した植毛とを有し、該芯部は、熱可塑性ポリエステル/エステルエラストマー、熱可塑性ポリエーテル/エステルエラストマー、アクリロニトリル、ブタジエン及びスチレンの共重合体（ＡＢＳ）、ポリオキシメチレン（ＰＯＭ）又はポリブチルテレフタレート（ＰＢＴ）を構成樹脂とする、前記＜１＞〜＜６＞の何れか１に記載の化粧用具。
＜８＞  前記回転塗布部は、芯部と、該芯部の表面に結合した植毛とを有し、
前記植毛の長さが、好ましくは０．４ｍｍ以上、より好ましくは０．８ｍｍ以上であり、また、好ましくは１．４ｍｍ以下、より好ましくは１．２ｍｍ以下であり、また、好ましくは０．４〜１．４ｍｍであり、より好ましくは０．８〜１．２ｍｍである、前記＜１＞〜＜７＞の何れか１に記載の化粧用具。
＜９＞  前記回転塗布部は、芯部と、該芯部の表面に結合した植毛とを有し、
前記植毛は、芯部の表面の面積１ｍｍ2当たりの本数が、例えば１０〜５０００本であり、好ましくは５０〜７００本である、前記＜１＞〜＜８＞の何れか１に記載の化粧用具。
＜１０＞  前記回転塗布部は、芯部と、該芯部の表面に結合した植毛とを有し、
前記植毛が、合成樹脂からなる、前記＜１＞〜＜９＞の何れか１に記載の化粧用具。
＜１１＞  前記把持部は、使用者が手に持つ把持部本体と、前記回転塗布部を脱着可能又は脱着不可能に結合させるための連結部を備えている、前記＜１＞〜＜１０＞の何れか１に記載の化粧用具。
【００４１】
＜１２＞  前記塗布具は、使用者が片手で持って操作可能な形態である、前記＜１＞〜＜１１＞の何れか１に記載の化粧用具。
＜１３＞  前記化粧料容器には、植毛を有する前記回転塗布部を有する前記塗布具によって塗布する前記化粧料を収容した前記化粧料収納部に加えて、他の塗布具によって塗布する化粧料を収容した第２化粧料収納部が形成されている、前記＜１＞〜＜１２＞の何れか１に記載の化粧用具。
＜１４＞  前記化粧料容器は、前記化粧料収納部が形成された本体と、該本体にヒンジ部を介して回動自在に取り付けられた蓋体とを有し、該蓋体の回動によって、該化粧料収納部の開口部を開閉可能である、前記＜１＞〜＜１３＞の何れか１に記載の化粧用具。
＜１５＞  前記化粧料容器は、前記化粧料収納部及び前記第２化粧料収納部並びに塗布具収納部が形成された本体と、本体にヒンジ部を介して回動自在に取り付けられた蓋体とを有し、該蓋体の回動によって、前記各収容部の開口部を開閉可能である、前記＜１３＞記載の化粧用具。
【００４２】
＜１６＞  前記化粧料収納部の細長い形状は、長軸ｍ方向の長さａと短軸ｎ方向の長さｂの比率（ａ／ｂ）が、３以上であり、より好ましくは５以上であり、また、好ましくは１０以下である、前記＜１＞〜＜１５＞の何れか１に記載の化粧用具。
＜１７＞  前記化粧料収納部の寸法は、短軸方向の長さｂが、好ましくは３〜１０ｍｍ、より好ましくは４〜７ｍｍであり、長軸方向の長さａが、好ましくは１５〜５０ｍｍ、より好ましくは２５〜４０ｍｍである、前記＜１＞〜＜１６＞の何れか１に記載の化粧用具。
＜１８＞  前記化粧料収納部の細長い形状の短軸方向の長さａは、回転塗布部２１の回転軸方向の長さＬ２に対する割合が、好ましくは１００％以下であり、また、好ましくは７０％以上、より好ましくは９０％以上であり、また、好ましくは７０〜１００％であり、より好ましくは９０〜１００％である、前記＜１＞〜＜１７＞の何れか１に記載の化粧用具。
＜１９＞  前記化粧料収納部は、細長い形状を有し、短軸方向の長さａが、前記回転塗布部の回転軸方向の長さよりも短い、前記＜１＞〜＜１８＞の何れか１に記載の化粧用具。
＜２０＞  前記化粧料収納部の細長い形状の短軸方向の長さａは、好ましくは５〜２０ｍｍであり、前記回転塗布部の回転軸方向の長さＬ２は、好ましくは５〜３０ｍｍであり、両者の差（長さＬ２−長さａ）は、０．５〜３ｍｍである、前記＜１＞〜＜１９＞の何れか１に記載の化粧用具。
【００４３】
＜２１＞  前記化粧料収納部は、細長い形状を有し、前記塗布具収納部に収容される塗布具が、該化粧料収納部の長手方向に対して、略平行又は略垂直に配置されている、前記＜１＞〜＜２０＞の何れか１に記載の化粧用具。
＜２２＞  前記化粧料が、板状粉体を含む固体組成物である、前記＜１＞〜＜２１＞の何れか１に記載の化粧用具。
＜２３＞  前記塗布組成物は、溶媒中に板状粉体及び球状粉体等を分散させた後、所定形状の収容部内で溶媒を留去して固体組成物に成形したものである、前記＜１＞〜＜２２＞の何れか１に記載の化粧用具。
＜２４＞  前記塗布組成物は、粒径が２０μｍ以上の粉体を含んだ、針入硬度が、好ましくは１７００ｇ以下、より好ましくは１０００ｇ以下であり、また、好ましくは１５０ｇ以上、より好ましくは３００ｇ以上であり、また、好ましくは１５０〜１７００ｇであり、より好ましくは３００〜１０００ｇである固体組成物である、前記＜１＞〜＜２３＞の何れか１に記載の化粧用具。
＜２５＞  前記化粧料が、板状粉体を含むアイシャドウである、前記＜１＞〜＜２４＞の何れか１に記載の化粧用具。
＜２６＞  前記回転塗布部は、その回転軸方向の長さを３等分して、先端側から順に第１部、第２部、第３部に区分したときに、第１部に外径が最大となる部位を有する、前記＜１＞〜＜２５＞の何れか１に記載の化粧用具。
【００４４】
＜２７＞  前記＜１＞〜＜２６＞の何れか１記載の化粧用具における塗布具の条件を満たす塗布具。
＜２８＞  化粧料を塗布する塗布具であって、
前記塗布具は、植毛を有する回転塗布部と、該回転塗布部を、回転軸方向の一端側から回転可能に支持する把持部とを備え、
前記回転塗布部は、前記植毛の長さ０．４〜１．４ｍｍである、塗布具。
＜２９＞  前記＜１＞〜＜２６＞の何れか１記載の化粧用具における塗布具の条件を満たす＜２７＞に記載の塗布具。
【実施例】
【００４５】
以下、本発明を実施例により更に詳細に説明するが、本発明は、以下の実施例により何ら制限されるものではない。
【００４６】
〔実施例〕
（１）基本条件
図１、図２に示す化粧料容器及び塗布具を用いてアイホールにアイシャドウの塗布を行った。
回転塗布部の植毛を含む外径は７．７ｍｍ、芯部の構成樹脂はＡＢＳ、植毛の構成樹脂はナイロンとした。植毛の長さは１．２ｍｍとした。アイシャドウとしては、湿式充填法によって充填したアイシャドウ（板状粉体を含む固体組成物）を用いた。その結果、アイホールにおいて、均一な塗布を得ることができた。
【００４７】
（２）回転塗布部の外周（周長）の影響
アイシャドウを収容した化粧料収納部の細長い形状の長軸方向の長さａ、塗布具２の、植毛を含む回転塗布部の周長Ｌ、及びそれらの比率（ａ／Ｌ）を表１に示す通りとして、前記（１）の基本条件と同様にして、アイホールに対するアイシャドウの塗布試験を行った。また、回転塗布部を、図５（ｃ）に示す形状のものに変更して同様の塗布試験を行った。
回転塗布部に対する化粧料の付着状態を観察した結果を、下記評価基準に従って評価し、結果を表１に示した。
（化粧料の付着状態）
４：悪い（許容範囲外）
３：どちらとも（許容範囲内）
２：良い
１：とても良い
【００４８】
また、取れ量を測定し、結果を表１に併せて示した。
ここで、取れ量は、回転塗布部をパレット上で８ｇの荷重をかけながら一往復転がすごとに取れた粉をふき取る作業を１０回繰り返し、パレットからの粉の減少量を測定した。
【００４９】
表１に示す結果から、化粧料収納部の長軸方向の長さａと回転塗布部の周長Ｌとの比率（ａ／Ｌ）を１．１〜１．８、特に１．４〜１．７とすることにより、回転塗布部の周面に厚みムラなく化粧料が付着させることができることが判る。
なお、アイシャドウの取れ量は、１．５〜６．０ｍｇが好ましく、図２（ａ）に示すような形状の回転塗布部の場合、１．５〜５．０ｍｇ、特に２．４〜４．５ｍｇが好ましい。
【００５０】
【表１】
2014128447.tif 000003
【００５１】
（３）塗布体外径の影響
前記（１）の基本条件の内、回転塗布部の芯部の外径を変更して、植毛を含む回転塗布部の外径を表２に示す通りに変更する以外は、前記（１）の基本条件と同様にして、アイホールに対するアイシャドウの塗布試験を行った。なお、植毛の長さは１．２ｍｍである。
アイシャドウ上における回転塗布部の転がり易さ（回転性）、化粧料収納部からの粉の取りやすさ（掻き取り性）、アイシャドウをアイホールに塗布したときの塗布状態の均一性（塗布の均一性）及び塗布具収納部へ塗布具を収納したときに化粧料容器が問題なく閉められるかどか（塗布具の収納性）について、下記評価基準に従い評価し、結果を表２に示した。
【００５２】
評価基準
４：悪い（許容範囲外）
３：どちらとも（許容範囲内）
２：良い
１：とても良い
【００５３】
【表２】
2014128447.tif 000004
【００５４】
（４）植毛（パイル）の長さの影響
前記（１）の基本条件の内、植毛の長さのみを、表３に示す通りに変更する以外は、（１）の基本条件と同様にして、アイホールに対するアイシャドウの塗布試験を行った。
化粧料収納部からの粉の取りやすさ（掻き取り性）、アイシャドウを肌へ塗布しているときに肌に与える感触（感触・肌当たり）、及びアイホールに対するアイシャドウの付着状態（肌への粉付）を下記評価基準に従い評価し、結果を表３に示した。
評価基準
４：悪い（許容範囲外）
３：どちらとも（許容範囲内）
２：良い
１：とても良い
【００５５】
【表３】
2014128447.tif 000005
【符号の説明】
【００５６】
１  化粧用具
２  塗布具
２１  回転塗布部
２２  植毛
２３  芯部
２５  把持部
２６  把持部本体
２７  突出係合部（連結部）
３  化粧料容器
３１  本体
３２  塗布具収納部
３３  化粧料収納部
３４〜３６  第２化粧料収納部
３７  蓋体
４  （塗布組成物）化粧料
５  アイホール
【図１】
2014128447.tif 000006
【図２】
2014128447.tif 000007
【図３】
2014128447.tif 000008
【図４】
2014128447.tif 000009
【図５】
2014128447.tif 000010